(57)【要約】【課題】構造簡単、装着時の掘り込み加工を容易に行うことができるアウトセット引戸錠を提供する。【解決手段】  アウトセット引戸錠１００は、引戸１の所定貫通穴２に装着可能な、第１のケース部材１０Ａと第２のケース部材１０Ｂとからなるケースと、第１のケース部材１０Ａに支軸によりシーソー式に出没自在に収容されたストッパ１１と、ストッパ１１が外方に突出するように付勢するばね１３と、第２のケース部材１０Ｂに収容され、ストッパ１１と連動して引戸１の外側からロック状態を確認することが可能なプレート１７を備える。これにより、構造簡単、装着時の掘り込み加工が貫通穴のみで取り付け可能で、さらに引戸の外側からロック状態を確認することができる。【選択図】      図１
2006299679.tif 000002
【特許請求の範囲】
【請求項１】
アウトセット引戸の室外側と室内側に同様の大きさを有する所定貫通穴に装着可能なケースと、
前記ケースに支軸によりシーソー式に出没自在に収容されたストッパと、
前記ストッパが外方に突出するように付勢するバネと、
前記ケースに収容され、前記ストッパと連動して前記アウトセット引戸の室外側からロック状態を確認することが可能な表示部材とを備えたことを特徴とするアウトセット引戸錠。
【請求項２】
前記ケースは、
前記ストッパが収容され、前記アウトセット引戸の室内側から前記所定貫通穴に装着する第１のケース部材と、
前記表示部材が収容され、前記アウトセット引戸の室外側から前記所定貫通穴に装着する第２のケース部材とを有し、
前記第１のケース部材と前記第２のケース部材とはネジで連結されることを特徴とする請求項１に記載のアウトセット引戸錠。
【請求項３】
前記ストッパの突出端の端面に緩衝部材が装着されることを特徴とする請求項１または２に記載のアウトセット引戸錠。  
【請求項４】
前記表示部材は、前記ストッパと連動して左右に回動可能なプレートであり、該プレートに呼び込み部材が設けられることを特徴とする請求項１乃至３のいずれかに記載のアウトセット引戸錠。
【請求項５】
アウトセット引戸の片面に設けられた掘り込み穴に装着可能なケースと、
前記ケースに支軸によりシーソー式に出没自在に収容されたストッパと、
前記ストッパが外方に突出するように付勢するバネと、
前記ケースのアウトセット引戸の側端に対応する側面に、前記アウトセット引戸のロック状態を解除するための非常開錠用開口部とを備えたことを特徴とするアウトセット引戸錠。
【発明の詳細な説明】
【技術分野】
【０００１】
本発明は、鎌錠が使えないアウトセット引戸の開閉を制限するための、構造簡単、装着時の掘り込み加工を容易に行うことが可能なアウトセット引戸錠に関する。
【背景技術】
【０００２】
近年、住宅の新築およびリフォーム需要によってアウトセット引戸の使用量が増加している。アウトセット引戸は、面倒な控え壁の施工が不要、取付けも簡単な外付けタイプの引戸である。
【０００３】
しかし、アウトセット引戸には鎌錠が使えないため、従来、図９に示すようなアウトセット引戸錠が用いられている。
【０００４】
図９に示すアウトセット引戸錠３０は、ケース３１と、該ケース３１に装着されるシーソー式のストッパ３２と、コイン錠３３と、ストライク３４とを備えている。この場合、ケース３１は引戸１の室内側から切欠穴に装着され、コイン錠３３は、引戸１の室外側から貫通穴に装着される。また、ストライク３４はストッパ３１が当たるように縦枠３に配置される。
【０００５】
また、突出したストッパを他の引き違い戸または支柱に係止させることにより施錠する補助錠が提案されている（特許文献１参照）。
この場合、補助錠は、所定の引き違い戸に固定されるケース、このケース内に進退自在に収められたストッパおよびこのストッパを外方に突出するよう付勢するばねから構成され、外方に突出した上記ストッパを他の引き違い戸または支柱に係止させることにより施錠する。ケースには、ストッパの回動用長孔と、ストッパをケース内に保持する係合部を有する回動規制用孔とが形成されており、ストッパには回動用長孔および規制用孔にそれぞれ入り込む第１および第２の軸部が一体的に設けられている。
【０００６】
【特許文献１】特開昭５４−１７４３９号公報
【発明の開示】
【発明が解決しようとする課題】
【０００７】
しかしながら、上記した図９に示すアウトセット引戸錠の場合は、錠を装着する際に、引戸にケース３１を配置するための切欠穴を掘り、そしてコイン錠３３を配置するための貫通穴を加工することが必要であるため、掘り込み加工が複雑であり、加工コストが高くなるという問題点があった。
また、引戸の外側からロック状態を明確に判断することができない欠陥があった。また、コイン錠３３等の回転機構を有するため、錠の構造が複雑である欠点があった。
【０００８】
また、特許文献１に開示された補助錠は、主にサッシの補助錠として使用する目的であるため、アウトセット引戸に応用する場合、引戸の外側からロック状態を確認することができないという不都合があった。
【０００９】
そこで、本発明は、このような問題点を考慮してなされたもので、構造簡単、装着時の掘り込み加工を容易に行うことができるようにしたアウトセット引戸錠を提供することを目的とする。
【課題を解決するための手段】
【００１０】
上記課題を解決するため、本発明に係るアウトセット引戸錠は、アウトセット引戸の室外側と室内側に同様の大きさを有する所定貫通穴に装着可能なケースと、該ケースに支軸によりシーソー式に出没自在に収容されたストッパと、該ストッパが外方に突出するように付勢するバネと、ケースに収容され、ストッパと連動してアウトセット引戸の室外側からロック状態を確認することが可能な表示部材とを備えたものである。
【００１１】
例えば、ケースは、ストッパが収容され、アウトセット引戸の室内側から所定貫通穴に装着する第１のケース部材と、表示部材が収容され、引戸の室外側から所定貫通穴に装着する第２のケース部材とを有し、第１のケース部材と第２のケース部材とはネジで連結される。また、ストッパの突出端の端面に緩衝部材を装着される。さらに、表示部材は、ストッパと連動して左右に回動可能なプレートであり、該プレートに呼び込み部材が設けられる。
【００１２】
本発明においては、アウトセット引戸の所定貫通穴に装着可能なケースと、ケースに支軸によりシーソー式に出没自在に収容されたストッパと、ストッパが外方に突出するように付勢するバネと、ケースに収容され、ストッパと連動してアウトセット引戸の室外側からロック状態を確認することが可能な表示部材とを備えるようになされる。
【００１３】
これにより、アウトセット引戸錠の構造は簡単で、引戸に装着時の掘り込み加工が貫通穴のみで取り付け可能で、さらに引戸の室外側からロック状態を容易に確認することが可能となる。
【００１４】
また、ストッパの突出端の端面に緩衝部材が装着されるため、建物開口の縦枠にストライクを設ける必要とせず、施工コストを削減することが可能となる。
【００１５】
また、上記課題を解決するため、本発明に係るアウトセット引戸錠は、アウトセット引戸の片面に設けられた掘り込み穴に装着可能なケースと、該ケースに支軸によりシーソー式に出没自在に収容されたストッパと、該ストッパが外方に突出するように付勢するバネと、ケースのアウトセット引戸の側端に対応する側面に、アウトセット引戸のロック状態を解除するための非常開錠用開口部とを備えたものである。
【００１６】
本発明においては、アウトセット引戸の所定掘り込み穴に装着可能なケースと、ケースに支軸によりシーソー式に出没自在に収容されたストッパと、ストッパが外方に突出するように付勢するバネと、アウトセット引戸のロック状態を解除するための非常開錠用開口部とを備えるようになされる。
【００１７】
これにより、アウトセット引戸錠の構造は簡単で、かつ非常時、外部からアウトセット引戸のロック状態を解除することが可能となる。
【発明の効果】
【００１８】
本発明によれば、アウトセット引戸の室外側と室内側に同様の大きさを有する所定貫通穴に装着可能なケースと、ケースに支軸によりシーソー式に出没自在に収容されたストッパと、ストッパが外方に突出するように付勢するバネと、ケースに収容され、ストッパと連動してアウトセット引戸の室外側からロック状態を確認することが可能な表示部材とを備えるものであり、構造簡単、装着時の掘り込み加工が貫通穴のみで取り付け可能で、さらに引戸の外側からロック状態を容易に確認することができる。
【００１９】
また、ストッパの突出端の端面に緩衝部材が装着されるため、建物開口の縦枠にストライクを設ける必要とせず、施工コストを削減することができる。
【００２０】
また、本発明によれば、アウトセット引戸の片面に設けられた掘り込み穴に装着可能なケースと、該ケースに支軸によりシーソー式に出没自在に収容されたストッパと、該ストッパが外方に突出するように付勢するバネと、アウトセット引戸のロック状態を解除するための非常開錠用開口部とを備えたものであり、錠の構造が簡単で、かつ非常時、外部からアウトセット引戸のロック状態を解除することができる。
【発明を実施するための最良の形態】
【００２１】
以下、図面を参照しながら、この発明の第１の実施の形態のアウトセット引戸錠について説明する。
図１は、本発明に係るアウトセット引戸錠を実施するための最良の形態の断面図である。この図１において、表示明瞭のためにケースと引戸と縦枠のみを断面図で表示している。図２は、室内側から見た図である。また図３は、室外側から見た図である。図４は、アウトセット引戸錠１００の構成を示す斜視図である。図５は、ストッパの構成を示す図である。
【００２２】
図１〜５に示すように、アウトセット引戸錠１００は、第１のケース部材１０Ａと、第２のケース部材１０Ｂと、ストッパ１１と、シャフト１２と、ばね１３と、ばね固定軸１４，１５と、緩衝部材１６と、表示部材としてのプレート１７と、呼び込み部材１８と、連結ネジ１９と、板２０とから構成されている。
【００２３】
第１のケース部材１０Ａには、シャフト１２を介してストッパ１１が回動自在に装着されている。また、第１のケース部材１０Ａにばね固定軸１４が設けられている。ばね１３の一端は固定軸１４に装着される（図２参照）。また、第１のケース部材１０Ａの内部に開口部が設けられている。
【００２４】
なお、この第１のケース部材１０Ａは、引戸１の室内側から、引戸（アウトセット引戸）１に設けられた貫通穴２に装着される。この貫通穴２はアウトセット引戸の室外側と室内側に同様の大きさを有する。
【００２５】
第２のケース部材１０Ｂには、板１９によりプレート１７が左右に回動可能に装着される。この第２のケース部材１０Ｂは、引戸１の室外側から、引戸１に設けられた貫通穴２に装着される。第１のケース部材１０Ａと第２のケース部材１０Ｂとは、ネジ１８により連結されている。
【００２６】
ストッパ１１は、シャフト１２を回転軸として、所定範囲で回動自在に装着され、開錠状態では、ストッパ１１は第１のケース部材１０Ａに収納される。また、ストッパ１１の一端は、第１のケース部材１０Ａから突出することが可能である。ストッパ１１の突出する端の端面に緩衝部材１６が装着されている。施錠状態では、緩衝部材１６は縦枠３に当たるようになされている。
【００２７】
また、ストッパ１１にはばね固定軸１５が設けられている（図５参照）。ばね１３の他端はばね固定軸１５に装着される。このばね１３はストッパ１１が外方に突出するように付勢する。そのため、施錠時、ストッパ１１は安定して突出状態を維持することができる。
【００２８】
また、ストッパ１１には、プレート１７と連結する軸部１１Ａを有し（図５参照）、この軸部１１Ａはプレート１７の凹形部１７Ａの中に配置される。軸部１１Ａを介して、施錠、開錠時のストッパ１１の回動によりプレート１７を第２のケース部材１０Ｂの中で左右回動させる。
【００２９】
プレート１７は、ストッパ１１の軸部１１Ａと連結するための凹部１５Ａが設けられている。これにより、ストッパ１１と連動することができる。また、プレート１７は、緊急時の外から開錠を行うための呼び込み部材（例えば、呼び込みネジ、呼び込みノブ等）１８が設けられているため、必要な場合、室外側で開錠することが可能である（図３参照）。
【００３０】
また、プレート１７外側の面は、呼び込み部材１８に中心より左右に異なる色とされている。例えば、左右にそれぞれ赤色と青色に塗布、または赤色と青色を有するシートを貼り付ける。これにより、引戸の外側からロック状態を容易に確認することができる。
【００３１】
板２０は、プレート１７の凹形部１７Ａを回避するための開口部２０Ａが設けられている。施錠、開錠時の凹形部１７Ａはこの開口部２０Ａ内で回動する。また、板２０は、ネジで第２のケース部材１０Ｂに固定される（図４参照）。
【００３２】
図６は、アウトセット引戸錠１００の施錠および開錠状態を示す図である。図６中（Ａ）は、施錠状態を示している。ストッパ１１の一端を押すと、他端は第１のケース部材１０Ａから突出し、端面は縦枠３に当接することにより引戸１の開閉を制限する。また、図に示すように、呼び込み部材１８は開口部１０Ｃの右側に位置する。
【００３３】
また、図６中（Ｂ）は、開錠状態を示している。ストッパ１１の突出端を押すと、ストッパ１１は第１のケース部材１０Ａに収納され、引戸１が開くことが可能な状態になる。また、図に示すように、呼び込み部材１８は開口部１０Ｃの左側に位置する。
【００３４】
また、図６中（Ｃ）は、引戸１が開いた状態を示している。図に示すように、ストッパ１１は第１のケース部材１０Ａに収納された状態においては、引戸１は開閉自在となる。
【００３５】
このように本実施の形態においては、アウトセット引戸錠１００は、引戸１の所定貫通穴２に装着可能な、第１のケース部材１０Ａと第２のケース部材１０Ｂとからなるケースと、第１のケース部材１０Ａに支軸によりシーソー式に出没自在に収容されたストッパ１１と、ストッパ１１が外方に突出するように付勢するばね１３と、第２のケース部材１０Ｂに収容され、ストッパ１１と連動して引戸１の外側からロック状態を確認することが可能なプレート１７とを備えるものである。
【００３６】
これにより、アウトセット引戸錠の構造は簡単で、引戸に装着時の掘り込み加工が貫通穴のみで取り付け可能で、さらに引戸の外側からロック状態を容易に確認することができる。
【００３７】
また、ストッパ１１の突出端面に緩衝部材１６が装着されるため、縦枠３にストライクを設ける必要とせず、施工コストを削減することができる。
【００３８】
また、第１のケース部材１０Ａと第２のケース部材１０Ｂとは内部でネジ１９により連結されるため、アウトセット引戸錠１００の表面にネジを露出することがなく、デザイン性を向上することができる。
【００３９】
以下、図面を参照しながら、この発明の第２の実施の形態のアウトセット引戸錠について説明する。
図７は、本発明の第２の実施の形態のアウトセット引戸錠の構成を示す断面図である。この図７において、表示明瞭のためにケースと引戸と縦枠のみを断面図で表示している。断面は非常開錠用穴２Ｂが設けられた位置の断面である。また、図８は、図７中の矢印Ｘ方向から見た図である。
【００４０】
図７および図８に示すように、アウトセット引戸錠２００は、ケース１０と、ストッパ１１と、シャフト１２と、ばね１３と、ばね固定軸１４，１５と、緩衝部材１６と、固定ネジ１９Ａとから構成されている。
【００４１】
ケース１０には、シャフト１２を介してストッパ１１が回動自在に装着されている。また、ケース１０にばね固定軸１４が設けられている。ばね１３の一端は固定軸１４に装着される（図２参照）。また、ケース１０の内部に開口部が設けられている。また、ケース１０の側面に非常開錠用開口部１０Ｄが設けられている。
【００４２】
また、このケース１０は、引戸１の室内側から、引戸（アウトセット引戸）１に設けられた掘り込み穴２Ａに装着される。ここで、掘り込み穴２Ａは２段掘り込み穴である。また、引戸１の側端にこの掘り込み穴２Ａと連通する非常開錠用穴２Ｂが設けられている。非常時に、例えば室外でピン等棒状物を引戸１に設けられた非常開錠用穴２Ｂ、ケース１０の非常開錠用開口部１０Ｄに挿入し、ストッパ１１の凸部１１Ｂを押すことでストッパ１１をケース１０に収納する状態にして開錠することができる。
【００４３】
また、この例において、ストッパ１１は軸部１１Ａを有しない以外に、上述した第１の実施例のストッパ１１と同様な構成を有する。ストッパ１１は、シャフト１２を回転軸として、所定範囲で回動自在に装着され、開錠状態では、ストッパ１１はケース１０に収納される。また、ストッパ１１の一端は、ケース１０から突出することが可能である。ストッパ１１の突出する端の端面に緩衝部材１６が装着されている。施錠状態では、緩衝部材１６は縦枠３に当たるようになされている。
【００４４】
また、ストッパ１１にはばね固定軸１５が設けられている（図５参照）。ばね１３の他端はばね固定軸１５に装着される。このばね１３はストッパ１１が外方に突出するように付勢する。そのため、施錠時、ストッパ１１は安定して突出状態を維持することができる。
【００４５】
このように本実施の形態においては、アウトセット引戸錠２００は、引戸１の掘り込み穴２Ａに装着可能なケース１０と、ケース１０に支軸によりシーソー式に出没自在に収容されたストッパ１１と、ストッパ１１が外方に突出するように付勢するばね１３と、ケース１０の側面に引戸１のロック状態を解除するための非常開錠用開口部１０Ｄとを備えるものである。
【００４６】
これにより、アウトセット引戸錠の構造が簡単で、かつ非常時、外部からアウトセット引戸のロック状態を解除することができる。
【００４７】
また、ストッパ１１の突出端面に緩衝部材１６が装着されるため、縦枠３にストライクを設ける必要とせず、施工コストを削減することができる。
【００４８】
なお、上述第１の実施の形態においては、アウトセット引戸錠１００のケース部が第１のケース部材１０Ａと第２のケース部材１０Ｂとから構成されたものであるが、これに限定されるものではない。例えば、一体に形成されたケースを用いてもよい。
【００４９】
また、上述第２の実施の形態においては、アウトセット引戸錠２００が２段掘り込みの掘り込み穴２Ａに装着するものであるが、これに限定されるものではない。例えば、ストッパ１１の凸部１１Ｂを短くすることで、１段の掘り込み穴のみで取り付け可能となり、装着時の掘り込み加工をさらに容易に行うことができる。
【００５０】
また、上述実施の形態においては、縦枠３のストッパ１１に設けられた緩衝部材１６と接触する位置に、縦枠３を保護するためのストライクを設けてもよい。
【産業上の利用可能性】
【００５１】
この発明は、新築またはリフォームにおいて、建築物の開口部に設置される、鎌錠が使えないアウトセット引戸に利用できる。
【図面の簡単な説明】
【００５２】
【図１】第１の実施の形態のアウトセット引戸錠の構成を示す断面図である。
【図２】アウトセット引戸錠１００の室内側から見た図である。
【図３】アウトセット引戸錠１００の室外側から見た図である。
【図４】アウトセット引戸錠１００の構成を示す斜視図である。
【図５】ストッパの構成を示す図である。
【図６】アウトセット引戸錠１００の施錠および開錠状態を示す図である。
【図７】第２の実施の形態のアウトセット引戸錠の構成を示す断面図である。
【図８】アウトセットの側面から見た図である。
【図９】従来のアウトセット引戸錠の構成を示す断面図である。
【符号の説明】
【００５３】
１  引戸
２  貫通穴
２Ａ  掘り込み穴
２Ｂ  非常開錠用穴
３  縦枠
１０  ケース
１０Ａ  第１のケース部材
１０Ｂ  第２のケース部材
１０Ｃ  開口部
１０Ｄ  非常開錠用開口部
１１  ストッパ
１１Ａ  軸部
１１Ｂ  凸部
１２  シャフト
１３  ばね
１４，１５  ばね固定軸
１６  緩衝部材
１７  プレート
１７Ａ  凹形部
１８  呼び込み部材
１９  連結ネジ
１９Ａ  固定ネジ
２０  板
１００，２００  アウトセット引戸錠
【図１】
2006299679.tif 000003
【図２】
2006299679.tif 000004
【図３】
2006299679.tif 000005
【図４】
2006299679.tif 000006
【図５】
2006299679.tif 000007
【図６】
2006299679.tif 000008
【図７】
2006299679.tif 000009
【図８】
2006299679.tif 000010
【図９】
2006299679.tif 000011